【事件の表示】
　特許第２９８４７２６号「画像処理システムおよび電子カメラ」の請求項１ないし９に係る特許に対する特許異議の申立てについて、次のとおり決定する。
【結　論】
　訂正を認める。
　特許第２９８４７２６号の請求項１ないし８に係る特許を取り消す。
【理　由】
１．手続の経緯
　　特許第２９８４７２６号の請求項１ないし９に係る発明についての出願は、昭和６３年１２月２６日に特許出願され、平成１１年１０月１日にその発明について特許の設定がされ、その後、その特許について、異議申立人　相原　光政　、異議申立人　小塚　浩　により特許異議の申立てがなされ、取消理由通知がなされ、その指定期間内である平成１２年１１月１０日に訂正請求がなされたものである。
　　
　　
　　
２．訂正の適否についての判断
　（１）訂正の内容　
　　特許権者が求めている訂正の内容は以下のとおりである。
　　なお、下線部が訂正個所である。
　　
【特許請求の範囲】の【請求項１】ないし【請求項９】に係る発明において、
　“【請求項１】撮像手段で撮像された画像データを順次記憶していく第１の画像データ記録手段を備える電子カメラと、
上記電子カメラに着脱可能であり、上記撮像手段で撮像された画像データを選択的に記憶する第２の画像データ記録手段と、
上記第２の画像データ記録手段を装着可能であり、カラー液晶パネルと上記第２の画像データ記録手段に記憶された画像データを上記カラー液晶パネルに表示する手段とを備える携帯型処理装置と
を具備したことを特徴とする画像処理システム。
　【請求項２】撮像画像を保存記録する電子カメラにおいて、
上記撮像手段で撮像された画像データを順次記憶していく第１の画像データ記録手段と、
上記電子カメラに着脱可能であり、上記撮像手段で撮像された画像データを選択的に記憶する第２の画像データ記録手段と
を具備したことを特徴とする電子カメラ。
　【請求項３】上記第２の画像データ記録手段は、上記第１の画像データ記録手段に記憶された画像データの中から任意に選択された画像データを記憶することを特徴とする請求項２記載の電子カメラ。
　【請求項４】上記第２の画像データ記録手段は、所定のモードが指定されている間のみ、上記撮像手段で撮像された画像データを記憶することを特徴とする請求項２記載の電子カメラ。
　【請求項５】上記第２の画像データ記録手段は、上記第１の画像データ記録手段に記憶される画像データよりも情報量の低い画像データを記憶することを特徴とする請求項２記載の電子カメラ。
　【請求項６】上記第２の画像データ記録手段は、上記第１の画像データ記録手段とは記録方式が異なることを特徴とする請求項２記載の電子カメラ。
　【請求項７】上記第２の画像データ記録手段は、半導体メモリであることを特徴とする請求項２記載の電子カメラ。
　【請求項８】上記第１の画像データ記録手段は、磁気記録媒体であることを特徴とする請求項２記載の電子カメラ。
　【請求項９】上記第１の画像データ記録手段は、上記電子カメラに対して着脱可能であることを特徴とする請求項２記載の電子カメラ。”
を、
　「【請求項１】
撮像手段で撮像された画像データをデジタル画像データに変換する画像データ変換手段とを備える電子カメラと、
　
上記電子カメラ本体に対して直接的に着脱可能であり、上記
とともに、該画像データを保存画像データとして半永久的に保持する不揮発性の
段と、
本体に対して直接的
とともに、該画像データを上記画像データ変換手段により変換されたデジタル画像データの形態で保持する
　上記第２の画像データ記録手段を装着可能であり、カラー液晶パネルと上記第２の画像データ記録手段に記憶された画像データを上記カラー液晶パネルに表示する手段とを備える携帯型処理装置と
を具備し
、
　
上記電子カメラは、さらに、
　
上記第１及び第２の画像データ記録手段を収納可能であり、上記電子カメラ本と一体的に形成されている記録媒体収納手段と、
　
上記撮像手段で撮像された画像データを上記第１の画像データ記録手段に順次記憶させるとともに、上記撮像手段で撮像された画像データを上記第２の画像データ記録手段に選択的に記憶させる画像データ記録制御手段とを備える
　【請求項２】撮像画像を保存記録する電子カメラにおいて、
　
撮像手段と、
　
上記電子カメラ本体に対して直接的に着脱可能であり、
とともに、該画像データを保存画像データとて半永久的に保持する不揮発性の
　
上記撮像手段で撮像された画像データをデジタル画像データに変換する画像データ変換手段と、
　上記電子カメラ
本体に対して直接的
とともに、該画像データを上記画像データ変手段により変換されたデジタル画像データの形態で保持する
、
　
上記第１及び第２の画像データ記録手段を収納可能であり、上記電子カメラ本と一体的に形成されている記録媒体収納手段と、
　
上記撮像手段で撮像された画像データを上記第１の画像データ記録手段に順次記憶させるとともに、上記撮像手段に撮像された画像データを上記第２の画像データに選択的に記憶させる画像データ記録制御手段と
を具備したことを特徴とする電子カメラ。
　【請求項３】上記第２の画像データ記録手段は、上記第１の画像データ記録手段に記録された画像データの中から任意に選択された画像データを記憶することを特徴することを特徴とする請求項２記載の電子カメラ。
　【請求項４】上記第２の画像データ記録手段は、所定のモードが指定されている間のみ、上記撮像手段で撮像された画像データを記憶することを特徴とする請求項２記載の電子カメラ。
　【請求項５】上記第２の画像データ記録手段は、上記第１の画像データ記録手段に記される画像データよりも情報量の低い画像データを記憶することを特徴とする請求項２記載の電子カメラ。
　【請求項６】上記第２の画像データ記録手段は、上記第１の画像データ記録手段とは方式が異なることを特徴とする請求項２記載の電子カメラ。
　【請求項７】上記第２の画像データ記録手段は、半導体メモ
リを備えたＩＣカード
　【請求項８】上記第１の画像データ記録手段は、
ディスク形状の
。
と訂正する。
　
　
　（２）訂正の目的の適否、新規事項の有無、及び特許請求の範囲の拡張・変更の存否
　【請求項１】、【請求項２】に係る発明は、発明を特定する事項である“撮像手段で撮像された画像データを順次記憶していく第１の画像データ記録手段を備える電子カメラと、上記電子カメラに着脱可能であり、上記撮像手段で撮像された画像データを選択的に記憶する第２の画像データ記録手段”を、これに含まれる、第１・第２の画像データの記録の形態、記録手段、電子カメラへの各記録媒体の収納構成、各記録媒体相互のデータ伝送の構成を、特許公報の第３頁第５欄第２８〜３０行、第２頁第４欄第４０〜４６行、第２頁第４欄第３３〜３８行、第３頁第５欄第４６行〜５０行、第２頁第３欄第３５〜４０行、第１図等の記載に基づいて明確にするもので、上記訂正は特許請求の範囲の減縮もしくは明瞭でない部分の釈明を目的とした訂正に該当する。　　
　【請求項７】、【請求項８】に係る特許発明は、半導体メモリ、磁気記録媒体の種別または形状を、特許公報の第２頁第４欄第３４〜３９行等の記載に基づいて特定するもので、上記訂正は特許請求の範囲の減縮もしくは明瞭でない部分の釈明を目的とした訂正に該当する。
　
　そして、上記の各訂正事項は、いずれも、新規事項の追加に該当せず、実質的に特許請求の範囲を拡張し又は変更するものでない。
　
　
　（３）むすび
　　以上のとおりであるから、上記訂正は特許法第１２０条の４第３項において準用する平成６年法律第１１６号による改正前の特許法第１２６条第１項ただし書き、第２項及び第３項の規定に適合するので、当該訂正を認める。
　
　
　
３．特許異議の申立てについての判断
　（１）申立ての理由の概要
　　特許異議申立人　相原　光政　は、本件特許の請求項２、３、５、７ないし９に係る発明（訂正前のその特許請求の範囲の各請求項に記載された発明、以下「訂正前本件発明Ｘ」という。）は、証拠として、　　　
　　　甲第Ｉ−１号証：特願昭６３−０５８４０４号
　　　　　　　　　　（特開平０１−２３２８９０号）
を提示して、いずれもその出願日前の出願であって、その出願後に出願公開された前記甲第Ｉ−１号証の願書に最初に添付された明細書又は図面に記載された発明と同一であり、特許法第２９の２の規定に違反して特許を受けたものであるから、特許法第１１３条第１項第２号に該当するので取り消されるべきものである旨主張している。
　　
　　また、訂正前本件特許２ないし４、６及び８は、証拠として、
　　　甲第Ｉ−２号証：特開昭６２−０６２６７４号公報
を提示して、いずれもその出願前に頒布された刊行物である前記甲項第Ｉ−２号証に記載された発明と同一であり、特許法第２９条１項３号の規定に違反して特許を受けたものであるから、特許法第１１３条第１項第２号に該当するので取り消されるべきものである旨主張している。　
　　
　　また、訂正前本件特許１、５、７及び９は、証拠として、
　　　甲第Ｉ−２号証：特開昭６２−０６２６７４号公報
　　　甲第Ｉ−３号証：特開昭６３−１５３９７６号公報
　　　甲第Ｉ−４号証：特開昭６３−２３４５６１号公報
を提示して、いずれもその出願前に頒布された刊行物である前記甲項第Ｉ−２号証ないし甲第Ｉ−４号証に記載された発明に基づいて当業者が容易に発明をすることができたものであるから、特許法第２９条第２項の規定に違反して特許を受けることができないものであり、特許法第１１３条第１項第２号に該当するので取り消されるべきものである旨主張している。
　　
　　また、訂正前本件特許２は、特許を受けようとする発明の構成に欠くことができない事項のみを記載したものでなく、特許法第３６条第４項際２号の規定に違反してなされたものであり、特許法第１１４条第２項第４号の規定に該当するので取り消されるべきものである旨主張している。
　
　
　
　　特許異議申立人　小塚　浩　は、証拠として、
　　　甲第Ｋ−１号証：特開昭６３−１５３６７８号公報
　　　甲第Ｋ−２号証：特開昭６３−１３３７６９号公報
　　　甲第Ｋ−３号証：特開昭５７−０７８２８４号公報
　　　甲第Ｋ−４号証：特開昭６３−１６１７８７号公報
を提示して、
　　
　　訂正前本件特許２は、甲第Ｋ−１号証に基づき、または甲第Ｋ−１号証、甲第Ｋ−２号証に記載された発明の組合せにより、
　
　　訂正前本件特許３は、甲第Ｋ−３号証に基づき、
　
　　訂正前本件特許４は、甲第Ｋ−１号証または甲第Ｋ−２号証に記載の発明に基づき、必要あれば甲第Ｋ−１号証、甲第Ｋ−２号証に記載された発明の組合せにより、
　
　　訂正前本件特許６は、甲第Ｋ−２号証に記載された発明に基づき、
　
　　訂正前本件特許７は、甲第Ｋ−４号証に記載された発明により、
　
それぞれ、当業者が容易に発明をすることができたものであるから、特許法第２９条第２項の規定に違反してなされたものであり、特許法第１１３条第１項第２号に該当するので取り消されるべきものである旨主張している。
　
　
　（２）本件発明
　　特許第２９８４７２６号の本件請求項１ないし８に係る発明（以下、「本件発明１ないし８」という。）は、上記２．で示したように訂正が認められるから、平成１２年１１月１０日付けの訂正明細書の特許請求の範囲の請求項１ないし８に記載された事項に特定されるとおりのものである。
　
　
　（３）引用刊行物に記載された発明
　　当審が平成１２年９月１日付けで通知した　
理由２
　　　
　　　刊行物ａ：特開昭６２−０６２６７４号公報　
　　　　　　　（異議申立人提示の甲第Ｉ−２号証）
・撮影により得られた画像信号をフレームメモリに順次記録した後、このフ　レーメモリに記録されている画像信号を取捨選択して記録ディスクに転記　する電子カメラ
　
　　　刊行物ｂ：特開昭６３−１５３９７６号公報
　　　　　　　（異議申立人提示の甲第Ｉ−３号証）
・撮影により得られた画像信号を、カメラ本体に対して着脱可能とするメモ　リユニットに内蔵されているフレームメモリに一旦記録した後、このフ　　レーメモリに記録されている画像信号を記録ディスクに転記する電子カメ　ラ
　
　　　刊行物ｃ：特開昭６３−２２４５６１号公報
　　　　　　　（異議申立人提示の甲第Ｉ−４号証）
・画像を記録する複数のメモリパックを備える記録再生機
　
　
　（４）対比・判断
　　《当審が通知した取消理由の理由２について》
　　イ．本件発明１、２に関して、
　　（ａ）上記刊行物ａに記載の発明とを比較する。
　　刊行物ａに記載の“本発明は電子カメラ即ち、光像を電子的に記録するカメラ、特に記録手段としてディスクのような非固体メモリを使った記録部を有する電子カメラに関するものである。”（第２頁左上欄の【産業上の利用分野]）は本件発明と技術分野が同一である。
　
　　（ｂ）刊行物ａの第１図で　ＣＣＤ４→カメラ信号処理５→Ａ／Ｄコンバータ→フレームメモリ７　の回路構成のフローは、本件発明の「撮像手段で撮像された画像データを順次記憶していく第１の画像データ記録手段を備える電子カメラ」に相当する。
　
　　（ｃ）刊行物ａの“６はＡ／Ｄコンバータ、７はＡ／Ｄコンバータからのディジタル化された画像通信の１フレーム期間を記憶するフレームメモリである・・・（中略）・・・入来する画像通信をフレームメモリ７につぎつぎと記録しているときは接点ａを“オン””（第２頁右下欄第５〜１３行）、“フレームメモリ７の記憶容量はごく限定されたフレーム数であるが将来メモリ容量が飛躍的に増加すれば数十枚分以上の画像が記録される”（第４頁右上欄第２０〜左下欄第２行）とする各記載があり、これは本件発明の「撮像手段で撮像された画像データを順次記憶していくとともに、該画像データを画像データとして保持する第１の画像データ記録手段」に相当する。
　
　　（ｄ）刊行物ａには、フレームメモリ７に記録された画像信号は、記録ディスク２０に送られ、その際に、“Ｄ／Ａコンバータ９を介してフレームメモリ７の内容をモニター１０で再生表示できるので、不要の画像であることが判明したときは、記録ディスク２０のその部分に新しい画像を入れるよう変更することも可能である”(第４頁右下欄第３〜７行)、
また、第２実施例として“スイッチ３０は記録・再生２２の起動を抑制するスイッチで、
撮像部１のフレームメモリ７上の画像をディスク２３に記録するか否かを選択するためのものである。
　　そして、ディスク媒体への記録手法として“信号を記録するにあたって、わざわざＤ／Ａコンバータ９８で
画像信号をアナログ信号に変換せず、ディジタル信号のまま記録することもできる。・・・（中略）・・・ディジタル信号で画像信号を記録すればアナログ信号で記録するよりも画質がよく装置も簡素化できる
　
　　（ｅ）刊行物ａには、「撮像部と、・・・（中略）・・・外部記録部とを各別に設け、撮像部と外部記録部とを着脱可能にしたものである」（第２頁左下欄第９〜１１行）、「
電子カメラは基本的には撮像部１及びディスク２とからなる
　
　　（ｆ）したがって、刊行物ａと本件発明１、２とは、
「撮像手段で撮像された画像データをデジタル画像データに変換する画像データ変換手段とを備える電子カメラと、
　上記電子カメラ本体に、上記撮像手段で撮像された画像データを順次記憶していくとともに、該画像データを保持する第１の画像データ記録手段と、
　上記電子カメラ本体に対して直接的に着脱可能であり、上記撮像手段で撮像された画像データを選択的に記憶するとともに、該画像データを上記画像データ変換手段により変換されたデジタル画像データの形態で保持する第２の画像データ記録手段と、
　上記電子カメラは、さらに、
　上記第２の画像データ記録手段を収納可能であり、上記電子カメラ本体と一体的に形成されている記録媒体収納手段と、
　上記撮像手段で撮像された画像データを上記第１の画像データ記録手段に順次記憶させるとともに、上記撮像手段で撮像された画像データを上記第２の画像データ記録手段に選択的に記憶させる画像データ記録制御手段とを備えることを特徴とする画像処理システム。」
で一致しするものの、本件発明１、２とは以下のα）、β）の点で、さらに本件発明１とはγ）の点で各々相違する。
　
　　α）第１の画像データ記憶手段が、本件発明１、２は「電子カメラ本体に対し直接的に着脱可能」であるのに対し、刊行物ａのものには明確に着脱可能な構成になっていない点
　
　　β）第１の画像データ記憶手段が、本件発明１、２は保存画像データとして半永久的に保持する不揮発性の記録媒体であるのに対し、刊行物ａのものにはこの点の記載が明確でない点
　
　　γ）装着可能な第２の画像データが、本件発明１は「装着可能であり、カラー液晶パネルと第２の画像データ記録手段に記憶された画像データを上記カラー液晶パネルに表示する手段とを備える携帯型処理装置」を有しているのに対し、刊行物ａのものには当該カラー液晶パネルを有する携帯型処理装置の構成がない点
　
　　次に、上記α）〜γ）の相違点について、検討する。
　　相違点α）について、
刊行物ｂは、刊行物ａとほぼ類似構成で、同様の撮像部とディスク記録部を有し一体的に結合可能に構成してなる電子カメラであるが、このものには、
“２７はフレームメモリは７及び該メモリ７をバックアップするためのバックアップ電源を２８を内蔵したメモリユニットである。このメモリーユニットは電子カメラとしての撮像部１に対して着脱可能になっている”（第３頁右上欄第１８行〜左下欄第２行）、
記載があり、そして、刊行物ａにおいても、従来例として“メモリパックの交換をすると、カメラ筺体に防水・防塵構造を施さねばならず、コスト高になる”（第２頁左下欄（４））と、着脱可能な構成を可能とする認識の記載があり、上記相違点α）のようにすることは、当業者が必要に応じて適宜容易に想到できるものである。
　
　　相違点β）について、
撮像部からの直接の画像データ記憶手段を着脱自在な磁気記憶媒体に記録すること、即ち半永久的に保持する不揮発性の記録媒体で記録することは電子カメラでは周知慣用技術であり（例：特開昭６２−２４３４８９号公報、実願昭５６−１９３９５８号のマイクロフィルム等参照）、
そして、刊行物ａのものにおいても、半永久的に保持する不揮発性の記録媒体である磁気ディスクのカメラへの使用に対し、従来例として“小型化、電源の確保、防塵構造を施さねばならずコスト高になる”（第２頁上欄（１）〜（４））ことを考慮しなければならないとの記載があり、このことは撮像素子からの画像信号を記録するのに磁気ディスクの採用を否定するものでない示唆があるもので、前記留意事項を考慮しながら、第１の画像データ記憶手段として上記相違点β）のように構成することは当業者が適宜容易に成しえるものである。
　
　　相違点γ）について、
刊行物ａのものには、第１画像データの内容をモニタで再生表示できること（第４頁右下欄第３〜４行）、同じく第２画像データを再生した信号もモニタ１０で表示できること（第３頁右下欄第２〜４行）等の再生手段の開示があり、これらはいずれも記録媒体を画像の信号源としているものである。そして、第５図には電子カメラとは別個にモニタ装置を設置してカラー表示する技術構成の記載がある。
また、刊行物ｃには電子カメラでの記録媒体を取り出し持ち運びして再生表示する技術の開示もある。
そして、本件発明１に記載の「カラー液晶パネルを有する携帯用処理装置」の構成は、その前後の文脈で電子カメラの構成要件と特段の技術的関連性がなく、単に記録媒体をカメラか取り出しそれを携帯用表示装置をもって表示する程度のものと読めるもので電子カメラとの密接なる関連は把握できないものであり、刊行物ａのものにおいても、上記相違点γ）のような構成を採用することは当業者が適宜容易に成し得るものと認められる。
　
　　したがって、本件発明１、２は刊行物ａないしｃ及び周知慣用技術から当業者が容易に想到できたものと認められる。
　
　
　　ロ．本件発明３に関して、
　　刊行物ａには、フレームメモリ７に記録された画像信号は、記録ディスク２０に送られ、その際に、“Ｄ／Ａコンバータ９を介してフレームメモリ７の内容をモニター１０で再生表示できるので、不要の画像であることが判明したときは、記録ディスク２０のその部分に新しい画像を入れるよう変更することも可能である”(第４頁右下欄第３〜７行)、“信号を記録するにあたって、わざわざＤ／Ａコンバータ９８で
画像信号をアナログ信号に変換せず、ディジタル信号のまま記録することもできる。・・・（中略）・・・ディジタル信号で画像信号を記録すればアナログ信号で記録するよりも画質がよく装置も簡素化できる
このことは、「第１の画像データ記録手段に記録された画像データの中から任意に選択された画像データを記憶する記録ディスクに記録する前に画像を選択する」本件発明３に記載の事項を意味すると解される。
　
　　ハ．本件発明４に関して、
　　刊行物ａの第２頁右下欄第５〜１６行には、切換スイッチ８、１１が接点ａに接続されている時にはＣＣＤからの画像データを第１の記録媒体に記録し、接点がｂに切り替わる事により第１記録媒体から第２記録媒体にデータを移動させる記載があり、これは本件発明４の「所定のモードが指定されている間のみ、撮像手段で撮像された撮像データを記録する」に相当するものと解される。
　
　　ニ．本件発明５に関して、
　　上記イ．で、刊行物ａのものが、第１画像データ記憶手段は着脱自在の磁気記録媒体で構成できるものであること、また第１画像データ記録手段から第２の画像記録手段へ画像データを転送していく構成のものであるから、前記各記録媒体の用途を勘案して、第２画像データ手段より第１画像データ手段の情報量を多くして本件発明５のようにすることは、当業者が必要に応じて適宜成し得るものである。
　
　　ホ．本件発明６に関して、
　　本件出願当時において、データ転送する際に、ディジタル信号の処理方式としてデータ圧縮して記録していくことは周知慣用事項であり、刊行物ａのものにおいても、第１の画像データ記録手段と、第２の画像データ記録手段でデータ移動する際にデータ圧縮等して記録方式を変えて行うことは、適宜必要に応じて構成できるもので、また記録媒体が異なればそれでも記録方式は異なるもので、本件発明のものが、第２の画像データ記録手段を、第１の画像データ記録手段と異なる記録方式とすることで格別なる工夫をする必要があるものでないことからも適宜成し得るものでる。
　
　　へ．請求項７、８に関して、
　　画像記録媒体として半導体メモリを備えたＩＣカード、ディスク形状の磁気録装置は周知のものであり、必要に応じて適宜採用できるものと認められる。
　
　
　
　　《当審が取消理由通知で指摘した他の理由について》
　　理由１：上記２．で示したように上記訂正が認められるから、本件発明２、３、８、９は刊行物ａとは上記イ．に記載したように相違点を有し同一ではなくなり、特許法第２９条第１項第３号の規定に該当しない。
　
　　理由３：上記２．で示したように上記訂正が認められるから、特にディジタル画像データ記録の形態で主に構成上の相違を有し、本件発明２、３、５、７〜９は先願発明と同一でなくなり、特許法第２９条の２の規定に該当しない。
　
　　理由４：上記２．で示したように上記訂正が認められるから明細書の不備は解消されたので特許法第３６条第４項及び第５項に規定する要件を満たした。
　
　
　
　　（５）むすび
　　以上のとおりであるから、訂正後の本件請求項１ないし８に係る発明は、特許異議申立の理由及び証拠である上記引用発明１〜３及び周知慣用事項に基づいて、当業者が容易に発明をすることができたものであるから、特許法第２９条第２項の規定に違反してされたものである。
　
　　したがって、請求項１ないし８に係る発明は、特許法第１１３条号第２号に該当し、取り消されるべきものである。
　
　　よって、結論のとおり決定する。
【異議決定日】
平成１３年１月２３日（２００１．１．２３）
【訂正の要旨】
訂正の要旨
▲１▼訂正事項ａ
　平成１１年３月１０日の本件請求人提出に係る補正書により補正された特許請求の範囲に係る記載
「
　（１）撮像手段で撮像された画像データを順次記憶していく第１の画像データ記録手段を備える電子カメラと、
　上記電子カメラに着脱可能であり、上記撮像手段で撮像された画像データを選択的に記憶する第２の画像データ記録手段と、
　上記第２の画像データ記録手段を装着可能であり、カラー液晶パネルと上記第２の画像データ記録手段に記憶された画像データを上記カラー液晶パネルに表示する手段とを備える携帯型処理装置と
を具備したことを特徴とする画像処理システム。
　（２）撮像画像を保存記録する電子カメラにおいて、
　上記撮像手段で撮像された画像データを順次記憶していく第１の画像データ記録手段と、
　上記電子カメラに着脱可能であり、上記撮像手段で撮像された画像データを選択的に記憶する第２の画像データ記録手段と
を具備したことを特徴とする電子カメラ。
　（３）上記第２の画像データ記録手段は、上記第１の画像データ記録手段に記憶された画像データの中から任意に選択された画像データを記憶することを特徴とする請求項２記載の電子カメラ。
　（４）上記第２の画像データ記録手段は、所定のモードが指定されている間のみ、上記撮像手段で撮像された画像データを記憶することを特徴とする請求項２記載の電子カメラ。
　（５）上記第２の画像データ記録手段は、上記第１の画像データ記録手段に記憶される画像データよりも情報量の低い画像データを記憶することを特徴とする請求項２記載の電子カメラ。
　（６）上記第２の画像データ記録手段は、上記第１の画像データ記録手段とは記録方式が異なることを特徴とする請求項２記載の電子カメラ。
　（７）上記第２の画像データ記録手段は、半導体メモりであることを特徴とする請求項２記載の電子カメラ。
　（８）上記第１の画像データ記録手段は、磁気記録媒体であることを特徴とする請求項２記載の電子カメラ。
　（９）上記第１の画像データ記録手段は、上記電子カメラに対して着脱可能であることを特徴とする請求項２記載の電子カメラ。
」
を、
「
　（１）
撮像手段で撮像された画像データをデジタル画像データに変換する画像データ変換手段とを備える電子カメラと、
　
上記電子カメラ本体に対して直接的に着脱可能であり、上記
とともに、該画像データを保存画像データとして半永久的に保持する不揮発性の
段と
　上記電子カメラ
本体に対して直接的
とともに、該画像データを上記画像データ変換手段により変換されたデジタル画像データの形態で保持する
　上記第２の画像データ記録手段を装着可能であり、カラー液晶パネルと上記第２の画像データ記録手段に記憶された画像データを上記カラー液晶パネルに表示する手段とを備える携帯型処理装置とを具備し
、
　
上記電子カメラは、さらに、
　
上記第１及び第２の画像データ記録手段を収納可能であり、上記電子カメラ本体と一体的に形成されている記録媒体収納手段と、
　
上記撮像手段で撮像された画像データを上記第１の画像データ記録手段に１順次記憶させるとともに、上記撮像手段で撮像された画像データを上記第２の画像データ記録手段に選択的に記憶させる画像データ記録制御手段とを備える
　（２）撮像画像を保存記録する電子カメラにおいて、
　
撮像手段と、
　
上記電子カメラ本体に対して直接的に着脱可能であり、
とともに、該画像データを保存画像データとして半永久的に保持する不揮発性の
　
上記撮像手段で撮像された画像データをデジタル画像データに変換する画像データ変換手段と、
　上記電子カメラ
本体に対して直接的
とともに、該画像データを上記画像データ変換手段により変換されたデジタル画像データの形態で保持する
、
　
上記第１及び第２の画像データ記録手段を収納可能であり、上記電子カメラ本体と一体的に形成されている記録媒体収納手段と、
　
上記撮像手段で撮像された画像データを上記第１の画像データ記録手段に順次記憶させるとともに、上記撮像手段で撮像された画像データを上記第２の画像データ記録手段に選択的に記憶させる画像データ記録制御手段と、
を具備したことを特徴とする電子カメラ。
　（３）上記第２の画像データ記録手段は、上記第１の画像データ記録手段に記憶された画像データの中から任意に選択された画像データを記憶することを特徴とする請求項２記載の電子カメラ。
　（４）上記第２の画像データ記録手段は、所定のモードが指定されている間のみ、上記撮像手段で撮像された画像データを記憶することを特徴とする請求項２記載の電子カメラ。
　（５）上記第２の画像データ記録手段は、上記第１の画像データ記録手段に記憶される画像データよりも情報量の低い画像データを記憶することを特徴とする請求項２記載の電子カメラ。
　（６）上記第２の画像データ記録手段は、上記第１の画像データ記録手段とは記録方式が異なることを特徴とする請求項２記載の電子カメラ。
　（７）上記第２の画像データ記録手段は、半導体メモ
リを備えたＩＣカード
　（８）上記第１の画像データ記録手段は、
ディスク形状の
。
」
と訂正する。
（５４）【発明の名称】
画像処理システムおよび電子カメラ
（５７）【特許請求の範囲】
　【請求項１】　
撮像手段で撮像された画像データをデジタル画像データに変換する画像データ変換手段とを備える電子カメラと、
　
上記電子カメラ本体に対して直接的に着脱可能であり、上記
とともに、該画像データを保存画像データとして半永久的に保持する不揮発性の
段と
　上記電子カメラ
本体に対して直接的
とともに、該画像データを上記画像データ変換手段により変換されたデジタル画像データの形態で保持する
　上記第２の画像データ記録手段を装着可能であり、カラー液晶パネルと上記第２の画像データ記録手段に記憶された画像データを上記カラー液晶パネルに表示する手段とを備える携帯型処理装置と
を具備し
、
　
上記電子カメラは、さらに、
　
上記第１及び第２の画像データ記録手段を収納可能であり、上記電子カメラ本体と一体的に形成されている記録媒体収納手段と、
　
上記撮像手段で撮像された画像データを上記第１の画像データ記録手段に順次記憶させるとともに、上記撮像手段で撮像された画像データを上記第２の画像データ記録手段に選択的に記憶させる画像データ記録制御手段とを備える
　【請求項２】　撮像画像を保存記録する電子カメラにおいて、
　
撮像手段と、
　
上記電子カメラ本体に対して直接的に着脱可能であり、
とともに、該画像データを保存画像データとして半永久的に保持する不揮発性の
　
上記撮像手段で撮像された画像データをデジタル画像データに変換する画像データ変換手段と、
　上記電子カメラ
本体に対して直接的
とともに、該画像データを上記画像データ変換手段により変換されたデジタル画像データの形態で保持する
、
　
上記第１及び第２の画像データ記録手段を収納可能であり、上記電子カメラ本体と一体的に形成されている記録媒体収納手段と、
　
上記撮像手段で撮像された画像データを上記第１の画像データ記録手段に１順次記憶させるとともに、上記撮像手段で撮像された画像データを上記第２の画像データ記録手段に選択的に記憶させる画像データ記録制御手段と、
を具備したことを特徴とする電子カメラ。
　【請求項３】　上記第２の画像データ記録手段は、上記第１の画像データ記録手段に記憶された画像データの中から任意に選択された画像データを記憶することを特徴とする請求項２記載の電子カメラ。
　【請求項４】　上記第２の画像データ記録手段は、所定のモードが指定されている間のみ、上記撮像手段で撮像された画像データを記憶することを特徴とする請求項２記載の電子カメラ。
　【請求項５】　上記第２の画像データ記録手段は、上記第１の画像データ記録手段に記憶される画像データよりも情報量の低い画像データを記憶することを特徴とする請求項２記載の電子カメラ。
　【請求項６】　上記第２の画像データ記録手段は、上記第１の画像データ記録手段とは記録方式が異なることを特徴とする請求項２記載の電子カメラ。
　【請求項７】　上記第２の画像データ記録手段は、半導体メモ
リを備えたＩＣカード
　【請求項８】　上記第１の画像データ記録手段は、
ディスク形状の
。
【発明の詳細な説明】
［産業上の利用分野］
　本発明は、電子カメラで撮像した画像データを処理する画像処理システムおよび電子カメラに関する。
［従来技術］
　近年、フロッピーディスクや半導体メモリに撮影した画像データを記憶する電子カメラが実用化されている。この電子カメラは、撮影した直後でも現像処理することなく直ちに再生してモニタあるいはＴＶ等に表示することができる。
［発明が解決すべき課題］
　上記電子カメラでは、撮影した画像データに対して再生などの処理を施すには、電子カメラ本体で処理するか、コンピュータに接続して処理させなければならなかった。
　本発明は上記事情に鑑みて成されたもので、電子カメラで撮影した画像データを、屋外で手軽に見ることができるようにした画像処理システムおよび電子カメラを提供することを目的とする。
［課題を解決するための手段］
　本発明は、撮像手段で撮像された画像データを順次記憶していく第１の画像データ記録手段を備える電子カメラと、上記電子カメラに着脱可能であり、上記撮像手段で撮像された画像データを選択的に記憶する第２の画像データ記録手段と、上記第２の画像データ記録手段を装着可能であり、カラー液晶パネルと上記第２の画像データ記録手段に記憶された画像データを上記カラー液晶パネルに表示する手段とを備える携帯型処理装置とを具備したことを特徴とする画像処理システムである。
　また、本発明は、撮影画像を保存記録する電子カメラにおいて、撮像手段で撮像された画像データを順次記憶していく第１の画像データ記録手段と、上記電子カメラに着脱可能であり、上記撮像手段で撮像された画像データを選択的に記憶する第２の画像データ記録手段とを具備したことを特徴とする電子カメラである。
　また、上記第２の画像データ記録手段は、上記第１の画像データ記録手段に記憶された画像データの中から任意に選択された画像データを記憶するようにしてもよい。
　また、上記第２の画像データ記録手段は、所定のモードが指定されている間のみ、上記撮像手段で撮像された画像データを記憶するようにしてもよい。
　また、上記第２の画像データ記録手段は、上記第１の画像データ記録手段に記憶される画像データよりも情報量の低い画像データを記憶するようにしてもよい。
　また、上記第２の画像データ記録手段は、上記第１の画像データ記録手段とは記録方式が異なるようにしてもよい。
　また、上記第２の画像データ記録手段は、半導体メモりでもよい。
　また、上記第１の画像データ記録手段は、磁気記録媒体でもよい。
　また、上記第１の画像データ記録手段は、上記電子カメラに対して着脱可能でもよい。
［実施例］
　以下、図面を参照して本発明の一実施例を説明する。本発明による画像処理システムは、電子スチルカメラ及び電子手帳により構成されるが、先ず、電子スチルカメラの構成について説明する。
　第１図は本発明を適用した電子スチルカメラ１０の背面斜視図である。この電子スチルカメラ１０の外形形状は、ほぼ従来の一眼レフカメラと同様に形成されており、外観としては、直方体形状のカメラ本体１１と、前面側に突出した円筒状のレンズ部１２とからなっている。カメラ本体１１には、頂面に設けられていて、シャッターとして機能するレリーズスイッチ１３と、背面に設けられていて、被写体を視るためのファインダ１４、動作モード等を指定するキー入力部１５及び撮影画像等を表示する液晶表示パネル１６と、その側部に設けられていて、撮影したスチル画像情報が例えば５０枚磁気記録される磁気記録媒体としての磁気シート（フロッピーディスク）を含むジャケット筐体すなわちＦＤ１７及び撮影したスチル画像情報が例えば１０枚記憶される半導体メモリを備えたＩＣカード１８をそれぞれ収納するための磁気記録装置部１９とが設けられている。
　図面からも見られるように、ＦＤ１７及びＩＣカード１８はカメラに着脱可能な単体のユニットとして構成され、このため磁気記録装置部１９には、ＦＤ１７及びＩＣカード１８の着脱に際して開かれる２つのカバー２０，２１が前後に設けられている。これらのカバー２０，２１が開かれた場合にＦＤの挿入開口１９ａとＩＣカードの挿入開口１９ｂとが上側で露出されるようになっている。
　第２図は、上記第１図の電子スチルカメラ１０の全体回路構成を示している。同図において３１は光学系で、レンズ部１２，シャッター３２，ＣＣＤ（Ｃｈａｒｇｅ　Ｃｏｕｐｌｅｄ　Ｄｅｖｉｃｅ）などの撮像素子３３等により構成され、オートフォーカス機構及びＥＥ機構により、ピント，露出等が自動的に合わせられるようになっている。また、３４はシャッター制御回路で、リレーズスイッチ１３の操作に応じてシャッター３２を制御する。上記レリーズスイッチ１３は、信号ライン３６ａ，３６ｂによりシャッター制御回路３４に接続しており、レリーズスイッチ１３に人の指が触れると（軽く押すと）信号ライン３６ａを介してタッチ信号をシャッター制御回路３４に送り、レリーズスイッチ１３が押させると信号ライン３６ｂを介してＯＮ信号をシャッター制御回路３４に出力する。このシャッター制御回路３４は、レリーズスイッチ１３からタッチ信号が送られてくるとスタンバイモードとなり、オートフォーカス、ＥＥ機構によりピント及び露出を決定する共に、例えば１／６０秒の間隔でシャッター３２を動作させる。
　そして、上記シャッター３２の動作に伴い、被写体像がレンズ部１２及びシャッター３２を介して撮像素子３３の面に結像され、撮像素子３３から被写体像に対する信号、つまり、撮像信号が信号処理回路３７へ送られる。上記撮像素子３３は、例えば光電変換半導体セルを多数個配列して構成され、これらセルを信号処理回路３７が順次走査することにより、一般のテレビジョン信号に準じたビデオ信号、つまり、輝度信号Ｙ及び色差信号Ｒ−Ｙ，Ｂ−Ｙを得ている。この信号処理回路３７から出力される画像信号は、信号ラインａを介して表示制御回路３８へ送られ、また、スイッチＳＷ１を介して変調回路３９へ送られると共にスイッチＳＷ２を介してＡ／Ｄ変換回路４１へ送られる。上記スイッチＳＷ１，ＳＷ２は、制御回路４４からのスイッチ信号Ｓ１，Ｓ２によりオン／オフ制御される。上記Ａ／Ｄ変換回路４１は、信号処理回路３７から送られてくる輝度信号Ｙ及び色差信号Ｒ−Ｙ，Ｂ−Ｙをそれぞれデジタルデータに変換し、上記ＩＣカード１８に出力する。このＩＣカード１８には、Ａ／Ｄ変換回路２１から送られてくる画像データがメモリ制御回路４３の制御に従って順次記憶される。また、上記メモリ制御回路４３には、制御回路４４から制御信号が与えられると共に、シャッター制御回路３４からシャッター信号が与えられる。上記メモリ制御回路４３は、撮影モードにおいてシャッター制御回路３４からレリーズスイッチ１３のＯＮ信号が与えられるとＩＣカード１８への画像データの書込み制御を行なう。
　一方、メモリ制御回路４３は、制御回路４４からの制御指令に応じてＩＣカード１８の記憶画像を読出し、Ｄ／Ａ変換回路４５に入力する。上記ＩＣカード１８から読出された画像は、Ｄ／Ａ変換回路４５によりアナログ信号に変換され、信号ラインｂを介して表示制御回路４８へ送られる。
　また、上記変調回路３９は、信号処理回路３７からスイッチＳＷ１を介して与えられる信号を変調して記録回路４６へ出力する。この記録回路４６は、変調回路３９から送られてくる信号に基づいて記録ヘッド４７ａを駆動し、上記ＦＤ１７内に収納されている磁気シートに環状トラックを形成するように画像情報を記録する。
　上記ＦＤ１７に記録された画像情報は、再生モードにおいて再生ヘッド４７ｂ（一般には記録ヘッド４７ａと共用）により読出され、再生回路５１を介した復調回路５２へ送られる。この復調回路５２は、再生信号を復調してエンコーダ５３に入力し、元の輝度信号Ｙ及び色差信号Ｒ−Ｙ，Ｂ−Ｙに戻して表示制御回路３８へ出力する。この表示制御回路３８は、信号ラインａ，ｂ，ｃにより入力される３系統の画像信号を制御回路４４からの指示に従って選択し、ファインダ１４及び液晶表示パネル１６に出力して表示する。
　また、上記制御回路４４には、シャッター制御回路３４からシャッター信号が与えられると共にキー入力部１５が接続される。このキー入力部１５には、撮影モード，再生モード、ＩＣカード読出し／書込みモード等の動作モードを指定する動作モード指定キー、動作モードに応じてＩＣカード１８あるいはＦＤ１７の読出しアドレスを前後させるフォワードキー及びバックキー等の各種操作キーが設けられている。上記制御回路４４は、キー入力部１５からのキー入力信号、シャッター制御回路３４からのシャッター信号に応じてスイッチＳＷ１，ＳＷ２をオン／オフ制御すると共に、メモリ制御回路４３，表示制御回路３８及び他の回路に制御指令を与える。
　しかして、上記のように構成された電子スチルカメラにより写真を撮る場合には、キー入力部１５のキー操作により撮影モードを指定する。また、撮影画像をＩＣカード１８に記憶させる場合には、ＩＣカード１８への書込みモードを指定する。以下、このＩＣカード書込みモードが指定された場合の動作について説明する。制御回路４４は、上記撮影モード、ＩＣカード書込みモード等のモード指定に応じて、メモリ制御回路４３に制御信号を出力すると共にスイッチＳＷ１、ＳＷ２をオフする。更に制御回路４４は、表示制御回路３８に対し、信号ラインａを選択してファインダ１４に出力するように指示する。この状態で撮影者がレリーズスイッチ１３に指を軽く触れると、タッチ信号が信号ライン３６ａを介してシャッター制御回路３４へ送られる。シャッター制御回路３４は、タッチ信号が送られてくると、スタンバイモードとなり、オートフォーカス機構、ＥＥ機構によりピント、露出を決定すると共にシャッター３２を１／６０秒毎に動作させる。これにより被写体像がレンズ部１２及びシャッター３２を介して撮像素子３３の面に結像され、撮像素子３３から投影像に応じた輝度信号Ｙ及び色差信号Ｒ−Ｙ，Ｂ−Ｙが出力され、信号ラインａを介して表示制御回路３８へ送られる。表示制御回路３８は、信号ラインａにより送られてくる信号を制御回路４４の指示に従って選択し、ファインダ１４に表示する。このファインダ１４への表示により撮影者は、被写体の状態を確認することができ、シャッター操作が可能となる。
　そして、撮影者がレリーズスイッチ１３を押すと、ＯＮ信号が信号ライン３６ｂを介してシャッター制御回路３４へ送られる。シャッター制御回路３４は、ＯＮ信号が与えられると、そのＯＮ信号をメモリ制御回路４３及び制御回路４４に出力する。
　上記制御回路４４は、上記シャッターＯＮが与えられると、一定時間例えば１／６０秒の間、スイッチＳＷ１，ＳＷ２をオンさせる。このスイッチＳＷ１，ＳＷ２がオンすることにより、上記レリーズスイッチ１３のＯＮ時点における信号処理回路３７の出力信号、つまり、輝度信号Ｙ及び色差信号Ｒ−Ｙ，Ｂ−Ｙが変調回路３９及びＡ／Ｄ変換回路４１に入力される。上記変調回路３９は、信号処理回路３７から送られてくる画像信号を変調して記録回路４６へ出力する。この記録回路４６は、変調回路３９からの信号に基づいて記録ヘッド４７ａを駆動し、ＦＤ１７内に収納されている磁気シートに環状トラックを形成するように画像情報を記録する。一方、上記Ａ／Ｄ変換回路４１は、信号処理回路３７から送られてくる画像信号をデジタルデータに変換してＩＣカード１８に入力する。このときメモリ制御回路４３は、シャッター制御回路３４からのシャッターＯＮ信号に従ってＩＣカード１８の書込み制御を行ない、Ａ／Ｄ変換回路４１から出力される画像情報をＩＣカード１８に記憶させる。
　以下、同様にしてレリーズスイッチ１３が押されると、その時の撮影した画像情報がＦＤ１７に記録されると共にＩＣカード１８に記憶される。
　なお、ＩＣカード１８への書込みモードを指定していない場合には、レリーズスイッチ１３を押した時にスイッチＳＷ１のみがオンし、撮影した画像情報はＦＤ１７にだけ記録され、ＩＣカード１８への画像記憶は行なわれない。
　上記のようにしてＩＣカード１８に記憶した画像を確認したい場合には、キー入力部１５のキー操作によりＩＣカード１８の読出しモードを指定する。このＩＣカード１８の読出しモードが指定されると、制御回路４４はメモリ制御回路４３にＩＣカード１８の読出しを指示すると共に、表示制御回路３８に信号ラインｂを選択してファインダ１４及び液晶表示パネル１６に出力するように指示する。メモリ制御回路４３は、制御回路４４からの指示に基づきＩＣカード１８の先頭アドレスに記憶している画像情報を読出し、Ｄ／Ａ変換回路４５及び信号ラインｂを介して表示制御回路３８へ出力し、ファインダ１４及び液晶表示パネル１６に表示する。この状態でキー入力部１５のフォワードキーを操作することにより、ＩＣカード１８に記憶されている撮影画像がメモリ制御回路４３の制御により順次読出され、表示制御回路３８を介してファインダ１４及び液晶表示パネル１６に表示される。これによりＩＣカード１８に記憶した画像を確認することができる。
　また、上記ＦＤ１７に記録した画像を再生したい場合は、再生モードを指定する。制御回路４４は、再生モードが指定されると、表示制御回路３８に信号ラインｃを選択してファインダ１４及び液晶表示パネル１６に出力するように指示すると共に、ＦＤ１７に記録されている最初の画像を再生ヘッド４７ｂにより読出し、再生回路５１により増幅した後、復調回路５２に入力して復調動作を行なわせる。この復調回路５２により復調された信号は、エンコーダ５３に入力されて元の輝度信号Ｙ及び色差信号Ｒ−Ｙ，Ｂ−Ｙに戻され、信号ラインｃを介して表示制御回路３８に送られる。この表示制御回路３８は、エンコーダ５３から送られてくる画像信号を制御回路４４の指示に従って選択してファインダ１４及び液晶表示パネル１６に表示する。また、この状態でフォワードキーを操作することによってＦＤ１７の記録画像が順次読出され、ファインダ１４及び液晶表示パネル１６に表示される。
　次に上記電子スチルカメラ１０から取出したＩＣカード１８をセットしてその記憶画像を表示する電子手帳の構成について説明する。この電子手帳は、カラー液晶テレビ機能とデータバンク機能を備えたもので、第３図ないし第５図に示すように構成される。
　第３図は本発明を適用した電子手帳６０の外観構成を示すもので、同図（ａ）は手帳を開いた状態を示す図、同図（ｂ）は低面側から見た図である。第３図において６１はケースで、手帳形式となっており、表紙６２とケース本体６３からなっている。このケース本体６３は、表紙６２の内側に設けられ、手帳を開くと左側のページに位置するようになっている。また、上記表紙６２には、左右の開閉できるように中央部の縦方向にヒンジ部６４が形成されている。
　そして、ケース本体６３の前面には、上方部位にカラー液晶パネル６５が配置され、その下方にテレビ電源スイッチ６６、チューニング用のアップキー６７ａ及びダウンキー６７ｂが配置されると共に、スピーカ６８が設けられる。上記テレビ電源スイッチ６６は、テレビのメイン電源をオン／オフすると共に、電源オンの状態においてテレビのＶＨＦ／ＵＨＦ受信モードを切換えられるようになっている。更にケース本体６３の下側には第３図（ｂ）に示すようにＩＣカード挿入開口７０が設けられ、このＩＣカード挿入開口７０内に上記ＩＣカード１８を挿入することにより、その記憶情報が後述する内部回路により読取られるようになっている。
　また一方、表紙６２の内側の右側のページには、キーボード６９が設けられ、上記ケース本体６３内の電子回路に接続される。このキーボード６９には、データ処理用の各種入力キー及びデータ処理モードとテレビモードを切換指定するモードキー等が設けられている。
　第４図は、上記ケース本体６３内に設けられる電子回路の全体の構成を示すブロック図である。同図において７１はアンテナで、チューナ７２に接続される。このチューナ７２は、アンテナ７１で受信した電波の中から指定チャンネルの電波を選択し、増幅及び中間周波数への変換を行なってテレビリニア回路７３へ出力する。テレビリニア回路７３は、チューナ７２からの中間周波信号を増幅すると共に映像検波及びカラー処理を行ない、中間周波信号ＩＦ及びカラー信号Ｒ，Ｇ，Ｂを制御回路７４へ出力する。この制御回路７４は、テレビ映像信号の表示制御及びデータ処理部（データバンク）の制御を行なうと共に、ＩＣカード挿入開口７０に挿入されるＩＣカード１８の情報読取り制御を行なうもので、その詳細については後述する。また、上記テレビリニア回路７３は、同期信号を含む複合映像信号を同期分離回路７５へ出力すると共に音声信号を音声回路７６へ出力する。この音声回路７６は、テレビリニア回路７３からの音声信号を検波し、増幅して上記スピーカ６８を駆動する。
　一方、同期分離回路７５は、複合映像信号から垂直同期信号φＶ及び水平同期信号φＨを分離して制御回路７４へ出力する。この制御回路７４には、更にキー入力部７７及び電源回路７８が接続される。上記キー入力部７７は、上記テレビ電源スイッチ６６，アップキー６７ａ，ダウンキー６７ｂ及びキーボード６９により構成される。制御回路７４は、キー入力部７７におけるアップキー６７ａ，ダウンキー６７ｂが操作された際、中間周波信号ＩＦを参照してチューニング電圧ＶＴをチューナ７２に出力し、隣接チャンネルを選択するためのチューニング制御を行なう。また、制御回路７４は、キー入力部７７により指定されるモード信号に応じてテレビＯＮ／ＯＦＦ信号ａ，音声ＯＮ／ＯＦＦ信号ｂ，データバンクＯＮ／ＯＦＦ信号ｃを電極回路７８に与える。この電極回路７８は、制御回路７４及びその他の回路に動作電圧を供給するもので、上記制御回路７からのＯＮ／ＯＦＦ信号ａ，ｂ，ｃに応じて各回路部へ動作電圧をＯＮ／ＯＦＦする。
　更に、上記制御回路７４は、内部に設けられているＡ／Ｄ変換回路によりテレビリニア回路７３からのカラー信号Ｒ，Ｇ，Ｂをそれぞれ４ビットのデジタルデータＤ１〜Ｄ４に変換してシフトレジスタ７９へ出力すると共に、内部回路により各種タイミング信号φ１，φ２，φｃ，φＦ，φｎ，ＳＲを発生して各回路部へ出力する。上記シフトレジスタ７９は、色別に３系統設けられており、制御回路７４から出力されるクロックパルスφ１，φ２により、上記データ（Ｄ１〜Ｄ４）×３を色別に順次読込んでシフトし、その読込んだデータをラッチ回路８０へ出力する。このラッチ回路８０は、シフトレジスタ７９からのデータをタイミング信号φｎに同期してラッチし、ドライバ８１へ出力する。このドライバ８１には、電源回路７８から液晶用駆動電圧が供給されると共に、制御回路７４から階調信号作成用クロックφｃ及びフレーム信号φＦが入力される。上記ドライバ８１は、ラッチ回路８０にラッチされたデータに従って階調信号を作成し、カラー液晶パネル６５のセグメント電極Ｙ１〜Ｙ４０８をＲ，Ｇ，Ｂの色別に表示駆動する。この場合、ドライバ８１から出力される駆動信号は、フレームφＦに同期して反転する。上記カラー液晶パネル６５は、例えば２．７インチの大きさで、信号電極がＲ，Ｇ，Ｂの色別に各１３６ドット（合計４０８ドット）、走査電極が１１９ライン設けられている。また、上記カラー液晶パネル６５に対するデータバンクからのデータ表示は、例えば１７×１７（×３）ドットのキャラクタエリアに１６×１６（×３）ドットのキャラクタが表示されるようになっている。従って、カラー液晶パネル６５には、横方向に８文字、縦方向に７文字が表示される。
　また、上記制御回路７４からはシフトデータＳＲ及びシフトクロックφｎがコモン側シフトレジスタ８２へ送られる。このシフトレジスタ８２は、上記シフトデータＳＲをシフトクロックφｎにより読込んで順次シフトし、ドライバ８３へ出力する。このドライバ８３には、更に制御回路７４からフレーム信号φＦが与えられると共に、電源回路７８から液晶駆動電圧が供給される。上記ドライバ８３は、シフトレジスタ８２からのシフトデータに応じてカラー液晶パネル６５の走査電極Ｘ１〜Ｘ１１９を順次選択的に駆動する。
　第５図は上記制御回路７４の詳細を示すブロック図である。同図において９１はＣＰＵで、上記キー入力部７７が接続されると共に、タイミング発生回路９２からクロックパルスが与えられる。このタイミング発生回路９２は、上記同期分離回路７５から与えられる水平同期信号φＨ，垂直同期信号φＶに基づいてＣＰＵ９１へのクロックパルスを発生すると共に、上記したタイミング信号ＳＲ，φｎ，φｃ，φ１，φ２，φＦを発生する。
　上記ＣＰＵ９１は、キー入力部７７からの動作設定モードに応じて上記ＯＮ／ＯＦＦ信号ａ，ｂ，ｃを発生し、上記電源回路７８へ出力する。また、ＣＰＵ９１は、キー入力部７７におけるアップキー６７ａ，ダウンキー６７ｂの操作に応じてアップ／ダウン制御指令ＵＰ／ＤＯＷＮをテレビ制御回路９３へ出力する。このテレビ制御回路９３は、ＣＰＵ９１からアップ／ダウン制御指令ＵＰ／ＤＯＷＮが与えられると、テレビリニア回路７３からの中間周波信号ＩＦを参照してチューニング電圧ＶＴを発生し、チューナ７２に出力する。
　また、ＣＰＵ９１には、バスライン９４を介してデータメモリ９５，辞書ＲＯＭ９６，演算レジスタ９７，表示メモリ９８が接続されると共に、ＩＣカード挿入開口７０に挿入されるＩＣカード１８が接続される。上記表示メモリ９８は、Ｒ，Ｇ，Ｂの色別に１画面分の表示データを記憶するように構成されている。上記ＣＰＵ９１，データメモリ９５，辞書ＲＯＭ９６，演算レジスタ９７，表示メモリ９８の部分は、データ処理部（データバンク）を構成するもので、表示メモリ９８の保持データが表示ポート９９へ送られる。また、この表示ポート９９には、テレビリニア回路７３から送られてくる色信号Ｒ，Ｇ，ＢがＡ／Ｄ変換回路１００を介して入力される。Ａ／Ｄ変換回路１００は、電源回路７８から与えられる上限基準電圧ＶＨ及び下限基準電圧Ｖしに基づいてアナログ色信号Ｒ，Ｇ，Ｂをそれぞれ４ビットのデジタルデータＤ１〜Ｄ４に変換し、表示ポート９９に出力する。この表示ポート９９には、更にＣＰＵ９１からその時の動作モードに応じた表示切換え信号がコントロールバス１０１を介して与えられる。上記表示ポート９９は、ＣＰＵ９１からの表示切換え信号に応じて表示メモリ９８の保持データあるいはＡ／Ｄ変換回路１００の出力データを選択してシフトレジスタ７９へ出力する。そして、上記制御回路７４は、ＣＰＵ９１及びデータメモリ９５に対して常時電源電圧が供給されている。
　上記のように構成された電子手帳において、ＴＶモードを指定する場合には、テレビ電源スイッチ６６により電源をＯＮしてＶＨＦあるいはＵＨＦの受信モードを指定する。そして、このＴＶモードからデータバンクモードに切換える時、及びこのデータバンクモードからＴＶモードに戻す時にはキーボード６９上のモードキーを操作する。また、ＩＣカード挿入開口７０に挿入したＩＣカード１８の記録画像を読出してカラー液晶パネル６５に表示する場合には、上記データバンクモードにおいてＩＣカード読出しモードを指定する。
　上記キーボード６９におけるモードキーの操作によりデータバンクモードを指定すると、ＣＰＵ９１は電源回路７８に出力しているテレビＯＮ／ＯＦＦ信号ａをローレベル、データバンクＯＮ／ＯＦＦ信号ｃをハイレベルに切換え、ＴＶ映像回路の電源をＯＦＦさせると共にデータバンクの電源をＯＮさせる。次いでＣＰＵ９１は表示ポート９９に表示切換え指令を出力し、表示ポート９９を表示メモリ９８側に切換える。これにより表示メモリ９８を保持データが表示ポート９９により選択されて第４図のシフトレジスタ７９へ送られるようになり、カラー液晶パネル６５がデータバンク側に切換えられる。従って、この状態でキーボード６９よりデータ入力を行なえば、データバンクの機能が動作し、入力データ，処理データ等がカラー液晶パネル６５に表示される。このデータバンクモードでは、例えば電話番号の登録、検索、修正、演算等のデータ処理を行なうことができる。
　そして、上記データバンクモードにおいてＩＣカード読出しモードを指定すると、ＣＰＵ９１によりＩＣカード１８から先頭アドレスの画像情報が読出され、表示メモリ９８に書込まれる。この表示メモリ９８に記憶された画像情報は、表示ポート９９により順次読出されてシフトレジスタ７９へ送られ、カラー液晶パネル６５に表示される。そして、この状態でキーボード６９におけるフォワードキーを操作すると、ＣＰＵ９１はＩＣカード１８から次のアドレスに記憶されている画像情報を読出して表示メモリ９８に書込む。従って、カラー液晶パネル６５には、表示メモリ９８に記憶された次の画像が表示される。以下、同様にしてフォワードキーを操作することにより、ＩＣカード１８に記憶されている画像情報が表示メモリ９８に順次読出され、カラー液晶パネル６５に表示される。また、この際、キーボード６９に設けられているバックキーを操作することにより、カラー液晶パネル６５の表示画像を前に戻すこともできる。更に数値キーの操作によりＩＣカード１８の記憶アドレスを直接指定して、任意画像をカラー液晶パネル６５に表示させることも可能である。
　上記のようにしてＩＣカード１８の記憶画像を電子手帳のカラー液晶パネル６５に表示させることができる。
　そして、上記のデータバンクモードからＴＶモードに切換える場合には、キーボード６９のモードキーにより「ＴＶ」モードを指定する。この「ＴＶ」モードが指定されると、ＣＰＵ９１は電源回路７８へのテレビＯＮ／ＯＦＦ信号ａをハイレベルとし、ＴＶ映像回路の電源をＯＮさせると共に、データバンクＯＮ／ＯＦＦ信号ｃをローレベルとし、データバンクの電源をＯＦＦさせる。更にＣＰＵ９１は表示ポート９９に表示切換信号を送り、表示ポート９９をＡ／Ｄ変換回路１００側に切換える。これによりテレビモードとなり、ＴＶ画像が表示ポート９９により選択され、カラー液晶パネル６５に表示されるようになる。
　なお、上記第２図の実施例における電子スチルカメラでは、シャッター操作時の撮影画像を選択的にＩＣカードに記憶するようにしたが、その他、撮影を終了した後にＦＤ１７の記録画像を液晶表示パネル１６に表示して確認し、任意画像を選択してＩＣカード１８に記憶するようにしてもよい。この場合には、エンコーダ５３の出力信号を選択操作によりオン／オフされるスイッチを介してＡ／Ｄ変換回路４１に入力することにより、簡単に実施することができる。
　また、上記電子スチルカメラでは、レリーズスイッチ１３に指を触れた時にシャッター制御により得た画像をファインダ１４のみに表示するようにしたが、同時に液晶表示パネル１６にも表示するようにしてもよい。
　更に上記電子スチルカメラでは、ＦＤ１７に記録する画像と同じ情報量の画像をＩＣカード１８に記憶するようにしたが、画像の情報量を低くしてより多数の画像をＩＣカード１８に記憶するようにしてもよい。例えば画像情報をモノクロにしたり、階調を落としたり、画素を粗くしたり等の手段により画像の情報量を低下させることができる。
［発明の効果］
　以上詳記したように、本発明によれば、撮像手段で撮像された画像データを順次記憶していく第１の画像データ記録手段を備える電子カメラと、上記電子カメラに着脱可能であり、上記撮像手段で撮像された画像データを選択的に記憶する第２の画像データ記録手段と、上記第２の画像データ記録手段を装着可能であり、カラー液晶パネルと上記第２の画像データ記録手段に記憶された画像データを上記カラー液晶パネルに表示する手段とを備える携帯型処理装置とを具備したので、電子カメラで撮影した画像データのうち所望の画像データのみを、日常的に携帯している携帯型処理装置を用いて、屋外で手軽に見ることができる。
【図面の簡単な説明】
　図面は本発明の一実施例を示すもので、第１図は電子スチルカメラの背面斜視図、第２図は電子スチルカメラの全体回路構成を示すブロック図、第３図は（ａ）は電子手帳の外観構成を示す正面図、第３図（ｂ）は同図（ａ）の底面図、第４図は電子手帳の全体回路構成を示すブロック図、第５図は第４図における制御回路の詳細を示すブロック図である。
　１０……電子スチルカメラ、１１……カメラ本体、１２……レンズ部、１３……レリーズスイッチ、１４……ファインダ、１５……キー入力部、１６……液晶表示パネル、１７……ＦＤ、１８……ＩＣカード、１９……磁気記録装置部、２０，２１……カバー、３１……光学系、３２……シャッター、３３……撮像素子、３４……シャッター制御回路、３６ａ，３６ｂ……信号ライン、３７……信号処理回路、３８……表示制御回路、３９……変調回路、４１……Ａ／Ｄ変換回路、４３……メモリ制御回路、４４……制御回路、４５……Ｄ／Ａ変換回路、４６……記録回路、４７ａ……記録ヘッド、４７ｂ……再生ヘッド、５１……再生回路、５２……復調回路、５３……エンコーダ、ＳＷ１，ＳＷ２……スイッチ、６１……ケース、６２……表紙、６３……ケース本体、６４……ヒンジ部、６５……カラー液晶パネル、６６……テレビ電源スイッチ、６７ａ……アップキー、６７ｂ……ダウンキー、６８……スピーカ、６９……キーボード、７２……チューナ、７３……テレビリニア回路、７４……制御回路、７５……同期分離回路、７６……音声回路、７７……キー入力部、７８……電源回路、７９……シフトレジスタ、８０……ラッチ回路、８１……ドライバ、８２……シフトレジスタ、８３……ドライバ、９１……ＣＰＵ、９２……タイミング発生回路、９３……テレビ制御回路、９４……バスライン、９５……データメモリ、９６……辞書ＲＯＭ、９７……演算レジスタ、９８……表示メモリ、９９……表示ポート、１００……Ａ／Ｄ変換回路、１０１……コントロールバス。